(57)【特許請求の範囲】
【請求項１】
ガードル上部にクラウンが形成されると共に、ガードル下部にパビリオンが形成されるダイヤモンドのカット方法であって、
前記クラウンのテーブルとなる面の中心を通る第１の基準線を設け、該第１の基準線に直行し中心を通る第２の基準線を設け、前記第１と第２の基準線で区分された範囲をそれぞれ角度的に４等分するように中心を通る第３の基準線を設け、これら基準線の交点を中心にしてガードルの直径の５３％に相当する位置に第１の円弧線を設け、該第１の円弧線と前記各基準線との交点を結んで正１６角形状のテーブルを確立させ、
前記第３の基準線を角度的に２等分する第４の基準線を設け、前記第１の円弧線より大きな同心円の第２の円弧線を設け、該第２の円弧線と前記第４の基準線との交点とテーブルの頂点とを結ぶ線を設けてスター・ファセットを確立させ、
更に、ダイヤモンドの外径と前記１乃至３の基準線との交点と、前記第４の基準線と第２の円弧線との交点とを結ぶ線でアッパー・メイン・ファセットの形状を確立させると共に、該アッパー・メイン・ファセットと外径との間に対をなすアッパー・ガードル・ファセットの形状を確立させ、
これら確立させた各形状に沿って且つガードルの最大の幅を全体の高さの１．３％に設定してカットすること
を特徴とするダイヤモンドのカット方法。
【請求項２】
前記ダイヤモンドは、
ガードルの直径を１００％としたときに、ダイヤモンドの全体の高さを６６．４％に設定し、クラウンの高さを１５．７％に設定し、パビリオンの高さを５０％に設定し、ガードルの最大の幅を１．３％に設定し、ガードルの基準線とクラウンとのなす角度を３３°に設定すると共にパビリオンとのなす角度を４２°〜４８°に設定してカットすること
を特徴とする請求項１に記載のダイヤモンドのカット方法。
【請求項３】
ガードルと、該ガードル上部にテーブルを備えたクラウンが形成されると共に、ガードル下部にパビリオンが形成されるダイヤモンドであって、
前記ガードルの直径を１００％としたときに、
ダイヤモンドの全体の高さを６６．４％にし、
前記クラウンの高さを１５．７％とし、
前記パビリオンの高さを５０％とし、
前記ガードルの最大の幅を１．３％とし、
前記テーブルの最大直径をガードルの直径の５３％にした正１６角形状にすると共に、
前記テーブルと前記ガードルとの間のクラウンにスター・ファセットと、アッパー・メイン・ファセットと、アッパー・ガードル・ファセットとを形成し、
前記パビリオンは、テーブルの正１６角形状に対応したキールラインで区画され、
該各区画されたエリア内にロウワー・ガードル・ファセットと、ロウワー・メイン・ファセットとが形成されると共に、底部中心部にキューレットが形成され、
前記クラウンに備えられたテーブルと、スター・ファセットと、アッパー・メイン・ファセットと、アッパー・ガードル・ファセットとで６５面カットが確立され、
前記パビリオンに形成されたロウワー・ガードル・ファセットと、ロウワー・メイン・ファセットと、キューレットとで４９面カットが確立され、
全体として１１４面カットの構成を有すること
を特徴とするダイヤモンドのプロポーション。
【請求項４】
前記ダイヤモンドは、
前記ガードルの基準線とクラウンとのなす角度が３３°であると共にパビリオンとのなす角度が４２°〜４８°であること
を特徴とする請求項３に記載のダイヤモンドのプロポーション。
【発明の詳細な説明】
【０００１】
【発明の属する技術分野】
本発明は、ダイヤモンドのカット方法と、該カット方法によってダイヤモンドを形成することによる、ダイヤモンドのプロポーションと輝きに関するものである。
【０００２】
【従来の技術】
一般的に、研磨されたダイヤモンドの価値は、４Ｃ、即ち、Ｃａｒａｔ（重さ）、Ｃｌａｒｉｔｙ（透明度）、Ｃｏｌｏｕｒ（色）、及び、Ｃｕｔ（カット）で決定されている。
【０００３】
この４Ｃは、夫々重要なものであるが、ダイヤモンドを評価する場合には、Ｃｏｌｏｕｒ（色）、Ｃｌａｒｉｔｙ（透明度）、Ｃｕｔ（カット）、Ｃａｒａｔ（重さ）の順で評価されることが一般的である。
【０００４】
しかし、ダイヤモンドのカット方法を発明する以前においては、ダイヤモンドには、決して美しいものであるという認識はなく、単に硬い石でしかないものであった。
【０００５】
単なる硬い石でしかなかったダイヤモンドが美しいものであると評価されるようになったのは、ダイヤモンドをカットすることにより、美しく輝くようにしたからであり、そのため、近年ではカット方法の重要性が評価されている。
【０００６】
また、ダイヤモンドの輝きは、カットによって得られるということもでき、カットが優れているダイヤモンドは、輝きや煌めきが増加するため、ダイヤモンドの市場においては、カットが重要視されているのである。
【０００７】
従って、ダイヤモンドの美的性ということを考慮するのであれば、ダイヤモンドの美的性における重要性の順序は、Ｃｕｔ（カット）、Ｃｏｌｏｕｒ（色）、Ｃｌａｒｉｔｙ（透明度）、Ｃａｒａｔ（重さ）であるとも考えられるものである。
【０００８】
このようなカットの評価方法は、ダイヤモンドのプロポーション、シンメトリー、ポリッシュ等を総合的に評価して、カットグレードとしてランク付けされており、このカットグレードは、消費者がダイヤモンドを購入する際のひとつの指標となっている。
【０００９】
しかし、ダイヤモンドはそれ自体が高価であるため、カットして美しく輝かせることよりも、カット面積を減らしてその大きさや重さを重視することがあり、そのため、ダイヤモンドのプロポーションが全体としてのバランスが悪くなることがある。
【００１０】
そこで、近年では、ダイヤモンド全体のバランスも重要視されるようになり、前記したダイヤモンドの重要な要素として、４Ｃにシンメトリーを加えた、４Ｃ＋Ｓ（シンメトリー）も重視されているのである。
【００１１】
このように、ダイヤモンドを評価する際にカットは極めて重要であるために、そのカット方法の技術は、従来からいろいろと研究されており、ラウンドブリリアンカット、特開２０００−５９９３号公報、実登３０７８６３６号公報に開示された技術が公知になっており、そのなかでもラウンドブリリアンカットは著名なものである。
【００１２】
ラウンドブリリアンカットにカットされたダイヤモンドは５８面体であり、入射した光線が、底の部面で全反射を起こして美しく輝くようになっており、反射した光が分散し、七色に変化するといわれている。
【００１３】
特開２０００−５９９３号公報に開示された技術は、円周の３６０°の角度を３の整数倍の数で割った角度を設定して基準線を設けて、ダイアモンド全体として、６５面または８６面にカットするものである。
【００１４】
実登３０７８６３６号公報に開示された技術は、パビリオンの底部に設けられたカット面、即ち、十字形状のカット面がテーブル面から見えるものである。
【００１５】
また、ダイヤモンドが同様の原石であった場合、輝き方及び発色が従来通りのものになってしまい、個々のダイヤモンドによる変化がないため、ダイヤモンドの新しい輝きが要望されており、そのなかでも黄金色に輝くダイヤモンドの開発が期待されている。
【００１６】
【発明が解決しようとする課題】
しかしながら、ラウンドブリリアンカットによるダイヤモンドのカット方法においては、入射した光線が、底の部面で全反射を起こして美しく輝くものであるが、その反射光は従来通りのものであり、黄金色の色調を表現することはできないものである。
【００１７】
特開２０００−５９９３号公報については、黄金色の色調を表現することはできず、また、円周の３６０°の角度を３の整数倍の数で割った角度を設定して基準線を設けることにより、シンメトリーではないという問題がある。
【００１８】
実登３０７８６３６号公報については、色調を変化させるものではなく、単にテーブル面から十字形状のカット面が見えるにすぎず、また、シンメトリーではないという問題がある。
【００１９】
従って、上面、側面及び底面のどこから見ても略シンメトリーであるプロポーションにして、テーブルの反射光が黄金色の輝きであるダイヤモンドにすることに解決課題を有する。
【００２０】
【課題を解決するための手段】
前記従来例の課題を解決する具体的手段として本発明は、ガードル上部にクラウンが形成されると共に、ガードル下部にパビリオンが形成されるダイヤモンドのカット方法であって、前記クラウンのテーブルとなる面の中心を通る第１の基準線を設け、該第１の基準線に直行し中心を通る第２の基準線を設け、前記第１と第２の基準線で区分された範囲をそれぞれ角度的に４等分するように中心を通る第３の基準線を設け、これら基準線の交点を中心にしてガードルの直径の５３％に相当する位置に第１の円弧線を設け、該第１の円弧線と前記各基準線との交点を結んで正１６角形状のテーブルを確立させ、前記第３の基準線を角度的に２等分する第４の基準線を設け、前記第１の円弧線より大きな同心円の第２の円弧線を設け、該第２の円弧線と前記第４の基準線との交点とテーブルの頂点とを結ぶ線を設けてスター・ファセットを確立させ、更に、ダイヤモンドの外径と前記１乃至３の基準線との交点と、前記第４の基準線と第２の円弧線との交点とを結ぶ線でアッパー・メイン・ファセットの形状を確立させると共に、該アッパー・メイン・ファセットと外径との間に対をなすアッパー・ガードル・ファセットの形状を確立させ、これら確立させた各形状に沿って且つガードルの最大の幅を全体の高さの１．３％に設定してカットすることを特徴とするダイヤモンドのカット方法を提供するものである。
【００２１】
この第１の発明において、前記ダイヤモンドは、ガードルの直径を１００％としたときに、ダイヤモンドの全体の高さを６６．４％に設定し、クラウンの高さを１５．７％に設定し、パビリオンの高さを５０％に設定し、ガードルの最大の幅を１．３％に設定し、ガードルの基準線とクラウンとのなす角度を３３°に設定すると共にパビリオンとのなす角度を４２°〜４８°に設定してカットすることこと；を付加的な要件として含むものである。
【００２２】
また、本発明に係る第２の発明として、ガードルと、該ガードル上部にテーブルを備えたクラウンが形成されると共に、ガードル下部にパビリオンが形成されるダイヤモンドであって、前記ガードルの直径を１００％としたときに、ダイヤモンドの全体の高さを６６．４％にし、前記クラウンの高さを１５．７％とし、前記パビリオンの高さを５０％とし、前記ガードルの最大の幅を１．３％とし、前記テーブルの最大直径をガードルの直径の５３％にした正１６角形状にすると共に、前記テーブルと前記ガードルとの間のクラウンにスター・ファセットと、アッパー・メイン・ファセットと、アッパー・ガードル・ファセットとを形成し、前記パビリオンは、テーブルの正１６角形状に対応したキールラインで区画され、該各区画されたエリア内にロウワー・ガードル・ファセットと、ロウワー・メイン・ファセットとが形成されると共に、底部中心部にキューレットが形成され、前記クラウンに備えられたテーブルと、スター・ファセットと、アッパー・メイン・ファセットと、アッパー・ガードル・ファセットとで６５面カットが確立され、前記パビリオンに形成されたロウワー・ガードル・ファセットと、ロウワー・メイン・ファセットと、キューレットとで４９面カットが確立され、全体として１１４面カットの構成を有することを特徴とするダイヤモンドのプロポーションを提供するものである。
【００２３】
この第２の発明において、前記ダイヤモンドは、前記ダイヤモンドは、前記ガードルの基準線とクラウンとのなす角度が３３°であると共にパビリオンとのなす角度が４２°〜４８°であること；を付加的な要件として含むものである。
【００２４】
このようなダイヤモンドのカット方法またはプロポーションにすることにより、上面、側面及び底面のどこから見ても略シンメトリーであるプロポーションにして、テーブルの反射光を黄金色の輝きのダイヤモンドにすることができるのである。
【００２５】
【発明の実施の形態】
次に、本発明を具体的な実施の形態に基づいて詳しく説明する。
図１〜５に本発明の実施の形態を示し、同一部分には同一符号を用いて説明を行う。カットされたダイヤモンドのプロポーション１は、ガードル２と、ガードル２の上部に形成されたクラウン３と、ガードル２の下部に形成されたパビリオン４からなる。また、ガードル２の上部に形成されたクラウン３には、テーブル５が備えられている。
【００２６】
クラウン３に備えられたテーブル５は、略正１６角形状に形成されており、テーブルの各辺に沿ってスター・ファセット６が形成され、テーブル５の頂点よりスター・ファセット６に隣接し、その各々の間にアッパー・メイン・ファセット７が形成され、各アッパー・メイン・ファセット７の間にアッパー・ガードル・ファセット８が対をなして形成されている。
【００２７】
パビリオン４は、テーブル５の略正１６角形状に対応するキールライン９に沿って区画され、各区画されたエリア内にロウアー・ガードル・ファセット１０と、ロウアー・メイン・ファセット１１とが形成されると共に、底部中心部にキューレット１２が形成される。
【００２８】
そのため、ダイヤモンドのプロポーション１は、クラウン３に備えられたテーブル５で１面が確立され、スター・ファセット６と、アッパー・メイン・ファセット７と、アッパー・ガードル・ファセット８とで６４面が確立、即ち、クラウン３において６５面が確立され、パビリオン４に形成されたロウアー・ガードル・ファセット１０と、ロウアー・メイン・ファセット１１とで４８面が確立され、キューレットで１面が確立、即ち、パビリオン４において４９面が確立されるため、全体として１１４面カットとなっている。
【００２９】
従って、ダイヤモンドのプロポーション１は、クラウン３に備えられた略正１６角形のテーブル５に対応して形成されているため、ダイヤモンドのプロポーション１全体のバランスは、ダイヤモンドを上面、側面及び底面から見て略シンメトリーになっている。
【００３０】
そこで、クラウン３のカット方法を図４に示す。図４よりクラウン３のテーブル５をカットするために、ダイヤモンドに第１の基準線ａを設け、第１の基準線に直交する第２の基準線ｂを設け、第１の基準線と第２の基準線を４等分する第３の基準線ｃを設ける。これらの基準線の交点ｄより直径Ｌ１の大きさで第１の円弧線ｅを設け、これらの基準線と第１の円弧線ｅとの交点ｆを結ぶことで、略正１６角形のテーブル５を形成する。
【００３１】
更に、第３の基準線ｃを２等分する第４の基準線ｇを設け、第１の円弧線ｅより大きな同心円の第２の円弧線ｈを設け、第４の基準線ｇと第２の円弧線ｈとの交点ｉとテーブル５の頂点とを結ぶことでスター・ファセット６を確定し、ダイヤモンドの外形ｊと第１の基準線ａ、第２の基準線ｂ及び第３の基準線ｃとの夫々の交点ｋと、第４の基準線ｇと第２の円弧線ｈとの交点ｉとを結ぶことで、アッパー・メイン・ファセット７を確定すると共に、アッパー・メイン・ファセット７とダイヤモンドの外形ｊとの間に対をなすアッパー・ガードル・ファセット８を確定し、これら確定させた夫々の各形状に沿ってカットすることで、クラウン３を形成する。
【００３２】
なお、外形ｊについては仮想線で示してあり、この部分については、ガードル２を形成する際にカットされるものであり、外形ｊをカットされて直径Ｌ２のガードル２が形成される。また、第１の円弧線ｅの直径Ｌ１は、ガードル２の直径Ｌ２を１００％としたとき、これの略５３％と設定することで、テーブル５の最大の直径は、ガードル２の直径の略５３％となる。
【００３３】
このようにクラウン３を形成することにより、テーブル５から入射した光をより細かく反射できると共に、スター・ファセット６、アッパー・メイン・ファセット７及びアッパー・ガードル・ファセット８からテーブル５とは異なる色調の光のスペクトルを反射して輝かせることができる。
【００３４】
次に、ダイヤモンドの断面図である図５により、各部の構成を説明する。ダイヤモンドは、ガードル２の直径Ｌ２を１００％としたときに、ダイヤモンドの全体の高さＨを略６６．４％にし、クラウン３の高さＨ１を略１５．７％に設定し、パビリオン４の高さＨ２を略５０％に設定し、ガードル２の最大の幅Ｗ１を略１．３％に設定してカットすることで形成する。
【００３５】
また、クラウン３は、ガードル２の基準線ｍに対して略３３°の角度θ１に設定し、パビリオン４は、ガードル２の基準線ｍに対して略４２°〜４８°、好ましくは略４５°の角度θ２に設定することにより、クラウン３とパビリオン４とのなす角度θを略７５°〜８１°、好ましくは略７８°になる。
【００３６】
このようにダイヤモンドの全体の高さＨ、クラウン３の高さＨ１、パビリオン４の高さＨ２、及び、ガードルの基準線ｍに対するパビリオン４の設定する角度θ２の夫々が設定されることにより、パビリオン４の底部の角度θ３は８４°〜９６°、好ましくは略９０°に設定する。
【００３７】
パビリオン４のロウアー・ガードル・ファセット１０と、ロウアー・メイン・ファセット１１は、キールライン９により、従来と同様の要領により形成され、その際、キューレット１２の幅Ｗ２はガードル２の直径Ｌ２を１００％としたときに１．６％に設定して形成される。
【００３８】
従来のラウンドブリリアンカットにおいては、ガードルの基準線とパビリオンとのなす角度は略４１°に設定されているものであるが、本発明に係るダイヤモンドのプロポーション１においては、ガードルの基準線ｍに対するパビリオン４の設定する角度θ２を略４２°〜４８°、好ましくは略４５°に設定することで、パビリオン４の高さＨ２が従来よりも高くなっている。
【００３９】
このようにパビリオン４とガードルの基準線ｍとのなす角度θ２を略４５°にした場合には、テーブル５は黄金色に輝くと共に、菊に似たような花弁の多い花模様が浮かび上がるように見え、スター・ファセット６、アッパー・メイン・ファセット７及びアッパー・ガードル・ファセット８は緑色、青色または紫色の色調で光輪のように輝く。
【００４０】
また、角度θ２を４５°よりも浅くして、略４２°〜４５°に設定した場合には、テーブル５は赤色に近い黄金色の色調で輝き、スター・ファセット６、アッパー・メイン・ファセット７及びアッパー・ガードル・ファセット８は緑色、青色または紫色の色調で光輪のように輝く。
【００４１】
また、角度θ２を４５°よりも深くして、略４５°〜４８°に設定した場合には、テーブル５は白色に近くなると共に、テーブル５の中心部が黄金色に輝くことによって、テーブル５は中心部は黄金色であり、その周辺部は白色になるという２種の色調に輝き、スター・ファセット６、アッパー・メイン・ファセット７及びアッパー・ガードル・ファセット８は緑色、青色または紫色の色調で光輪のように輝く。
【００４２】
即ち、クラウン３から光が入射した際に、テーブル５は光のスペクトルが長い色調を反射するため黄金色に輝き、スター・ファセット６、アッパー・メイン・ファセット７及びアッパー・ガードル・ファセット８は光のスペクトルが短い色調を反射するために緑色、青色または紫色の色調で光輪のように輝き、その光輪は見る位置を移動することによって回転するように視認されるのである。
【００４３】
また、従来のラウンドブリリアンカットの５８面体や、テーブルが１２角形である８６面カットによる光の反射と比較した場合、本発明のテーブル５が略正１６角形である１１４面カットでは、クラウン３の反射光がより細かいナノスケールになるため、噴霧状になった反射光がテーブル５から渦状に反射するようになり、テーブル５の反射が強くなり、入射した光の色調よりも強くて濃い色に反射するように見えるのである。
【００４４】
このように、光のパビリオン４内部での拡散性が増加することによって、光の波動と粒子のうち、光の粒子を除いた光の波動のみを反射し、光本来の色を表現することが可能になるのである。
【００４５】
【発明の効果】
以上説明したように、本発明に係るダイヤモンドのカット方法は、ガードル上部にクラウンが形成されると共に、ガードル下部にパビリオンが形成されるダイヤモンドのカット方法であって、前記クラウンのテーブルとなる面の中心を通る第１の基準線を設け、該第１の基準線に直行し中心を通る第２の基準線を設け、前記第１と第２の基準線で区分された範囲をそれぞれ角度的に４等分するように中心を通る第３の基準線を設け、これら基準線の交点を中心にしてガードルの直径の５３％に相当する位置に第１の円弧線を設け、該第１の円弧線と前記各基準線との交点を結んで正１６角形状のテーブルを確立させ、前記第３の基準線を角度的に２等分する第４の基準線を設け、前記第１の円弧線より大きな同心円の第２の円弧線を設け、該第２の円弧線と前記第４の基準線との交点とテーブルの頂点とを結ぶ線を設けてスター・ファセットを確立させ、更に、ダイヤモンドの外径と前記１乃至３の基準線との交点と、前記第４の基準線と第２の円弧線との交点とを結ぶ線でアッパー・メイン・ファセットの形状を確立させると共に、該アッパー・メイン・ファセットと外径との間に対をなすアッパー・ガードル・ファセットの形状を確立させ、これら確立させた各形状に沿って且つガードルの最大の幅を全体の高さの１．３％に設定してカットすることにより、１１４面体のカットであって、ダイヤモンドを上面、側面及び底面のどこから見ても略シンメトリーであるプロポーションにすることができるため、ダイヤモンド全体のバランスを美しく表現することができ、特に、テーブルを黄金色に輝かせることができるという従来では考えられない優れた効果を奏するのである。
【００４６】
第２の発明についても、ガードルと、該ガードル上部にテーブルを備えたクラウンが形成されると共に、ガードル下部にパビリオンが形成されるダイヤモンドであって、前記ガードルの直径を１００％としたときに、ダイヤモンドの全体の高さを６６．４％にし、前記クラウンの高さを１５．７％とし、前記パビリオンの高さを５０％とし、前記ガードルの最大の幅を１．３％とし、前記テーブルの最大直径をガードルの直径の５３％にした正１６角形状にすると共に、前記テーブルと前記ガードルとの間のクラウンにスター・ファセットと、アッパー・メイン・ファセットと、アッパー・ガードル・ファセットとを形成し、前記パビリオンは、テーブルの正１６角形状に対応したキールラインで区画され、該各区画されたエリア内にロウワー・ガードル・ファセットと、ロウワー・メイン・ファセットとが形成されると共に、底部中心部にキューレットが形成され、前記クラウンに備えられたテーブルと、スター・ファセットと、アッパー・メイン・ファセットと、アッパー・ガードル・ファセットとで６５面カットが確立され、前記パビリオンに形成されたロウワー・ガードル・ファセットと、ロウワー・メイン・ファセットと、キューレットとで４９面カットが確立され、全体として１１４面カットの構成を有する構成としたことによって、従来の５８面体ラウンドブリリアンカットのダイヤモンドとは、全体のカット数が略倍の１１４面体で各部の形状、高さ及び深さ等が全く異なったものとなり、特に、ガードルの直径に対して、ダイヤモンドの全体の高さと、クラウンの高さと、パビリオンの高さとを特定した比率に設定したことによって、ダイヤモンド全体のバランスを美しく表現することができるばかりでなく、テーブルを黄金色に輝かせることができるという従来では考えられない優れた効果を奏するのである。
【００４７】
従って、本発明に係るカット方法及びプロポーションのいずれの発明を用いても、ダイヤモンドを上面、側面及び底面のどこから見ても略シンメトリーであるプロポーションにすることができるため、ダイヤモンド全体のバランスを美しく表現することができ、噴霧状になった反射光がテーブルから渦状に反射することにより、テーブルの反射が強くなり、入射した光の色調よりも強くて濃い色に反射するように見えると共に、テーブルを黄金色に輝かせることができるという優れた効果を奏する。
【図面の簡単な説明】
【図１】本発明の実施の形態に係るダイヤモンドの略示的上面図である。
【図２】同ダイヤモンドの略示的側面図である。
【図３】同ダイヤモンドの略示的底面図である。
【図４】同ダイヤモンドにおけるクラウン部分のカット方法の説明図である。
【図５】同ダイヤモンドの全体を説明する略示的断面図である。
【符号の説明】
１  ダイヤモンドのプロポーション
２  ガードル
３  クラウン
４  パビリオン
５  テーブル
６  スター・ファセット
７  アッパー・メイン・ファセット
８  アッパー・ガードル・ファセット
９  キールライン
１０  ロウアー・ガードル・ファセット
１１  ロウアー・メイン・ファセット
１２  キューレット
【図１】
0004495385.tif 000002
【図２】
0004495385.tif 000003
【図３】
0004495385.tif 000004
【図４】
0004495385.tif 000005
【図５】
0004495385.tif 000006